【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
ワイヤレス局によるワイヤレス通信のための方法であって、
送信機によって前記局に送信される第１の信号を処理することと、ここにおいて、前記第１の信号は、アクティベーション信号が受信されると予想されるターゲットウェイクアップ時間を示し、ここにおいて、前記送信機は、アクセスポイント（ＡＰ）、または局を備える、
前記示されたターゲットウェイクアップ時間に基づいて第１の受信機をアウェイク状態に移行することと、
前記示されたターゲットウェイクアップ時間に前記第１の受信機によって前記送信機から前記アクティベーション信号を受信することと、
前記送信機から受信された前記アクティベーション信号に基づいて第２の受信機をアウェイク状態に移行することと、
前記第２の受信機によって第２の信号を受信することと
を備える、方法。
【請求項２】
前記第２の受信機を前記アウェイク状態に移行することは、規定された時間に発生する、請求項１に記載の方法。
【請求項３】
前記規定された時間は、ビーコンを受信するための次のターゲットビーコン通過時間に対応する、請求項２に記載の方法。
【請求項４】
前記アクティベーション信号が受信されたという肯定応答を送信することをさらに備える、請求項１に記載の方法。
【請求項５】
前記アクティベーション信号の送信者に省電力ポーリングフレームを送信することをさらに備える、請求項１に記載の方法。
【請求項６】
規定された時間において、前記アクティベーション信号の送信者に省電力ポーリングフレームを送信することをさらに備える、請求項１に記載の方法。
【請求項７】
前記第１の受信機は、前記アウェイク状態にある前記第２の受信機と比較して、前記アウェイク状態においてより少ない電力を消費する、請求項１に記載の方法。
【請求項８】
前記第１の受信機によってデアクティベート信号を受信することと、
前記第２の受信機をデアクティベートすることと
をさらに備える、請求項１に記載の方法。
【請求項９】
ワイヤレス通信のためのワイヤレス局であって、
送信機によって前記局に送信される第１の信号を処理するための手段と、ここにおいて、前記第１の信号は、アクティベーション信号が受信されると予想されるターゲットウェイクアップ時間を示し、ここにおいて、前記送信機は、アクセスポイント（ＡＰ）、または局を備える、
前記示されたターゲットウェイクアップ時間に基づいて第１の受信機をアウェイク状態に移行するための手段と、
前記示されたターゲットウェイクアップ時間に前記送信機から前記アクティベーション信号を受信するための手段と、
前記送信機から受信された前記アクティベーション信号に基づいて第２の受信機をアウェイク状態に移行するための手段と、
前記第２の受信機が前記アウェイク状態にある間に第２の信号を受信するための手段と
を備える、ワイヤレス局。
【請求項１０】
前記アクティベーション信号を受信するための前記手段は、第１の受信機を備え、前記第２の信号を受信するための前記手段は、第２の受信機を備え、前記第１の信号を処理するための前記手段は、プロセッサを備える、請求項９に記載の局。
【請求項１１】
前記第１の受信機は、前記アウェイク状態にある前記第２の受信機と比較して、前記アウェイク状態においてより少ない電力を消費する、請求項１０に記載の局。
【請求項１２】
前記第２の受信機を前記アウェイク状態に移行するための前記手段は、規定された時間に前記第２の受信機を前記アウェイク状態へ移行するように構成される、請求項９に記載の局。
【請求項１３】
前記規定された時間は、ビーコンを受信するための次のターゲットビーコン通過時間に対応する、請求項１２に記載の局。
【請求項１４】
前記アクティベーション信号が受信されたという肯定応答を送信するための手段をさらに備える、請求項９に記載の局。
【請求項１５】
請求項１乃至８のいずれか１項に記載の方法を実行するための命令を備える、コンピュータプログラム。
【手続補正２】
【補正対象書類名】明細書
【補正対象項目名】０１７０
【補正方法】変更
【補正の内容】
【０１７０】
[00203]上記は本開示の態様を対象とするが、本開示の他の態様およびさらなる態様は、その基本的範囲から逸脱することなく考案されてよく、その範囲は以下の特許請求の範囲によって決定される。
以下に、本願出願の当初の特許請求の範囲に記載された発明を付記する。
［Ｃ１］
ワイヤレス通信のためのワイヤレス局であって、
前記局に送信される第１の信号を処理するように構成される処理回路と、ここにおいて、前記第１の信号は、アクティベーション信号が受信されると予想されるターゲットウェイクアップ時間を示す、
前記示されたターゲットウェイクアップ時間に基づいて、第１の受信機をアウェイク状態へ移行するように構成されるウェイクアップ回路と、ここにおいて、前記第１の受信機は、前記示されたターゲットウェイクアップ時間において前記アクティベーション信号を受信するように構成される、
第２の受信機と
を備え、前記第２の受信機は、
前記第１の受信機が前記アクティベーション信号を受信したことに基づいてアウェイク状態へ移行し、
前記アウェイク状態にある間に第２の信号を受信する
ように構成される、ワイヤレス局。
［Ｃ２］
前記ウェイクアップ回路は、規定された時間に前記第２の受信機を前記アウェイク状態へ移行するように構成される、Ｃ１に記載の局。
［Ｃ３］
前記規定された時間は、ビーコンを受信するために、次のターゲットビーコン通過時間に対応する、Ｃ２に記載の局。
［Ｃ４］
前記アクティベーション信号が受信されたという肯定応答を送信するように構成された送信機をさらに備える、Ｃ１に記載の局。
［Ｃ５］
前記局がアウェイクしておりダウンリンクデータを受信する準備ができていることを前記アクティベーション信号の送信者に通知するための、省電力ポーリングフレームを送信するように構成される送信機をさらに備える、Ｃ１に記載の局。
［Ｃ６］
前記規定された時間において、前記局がアウェイクしておりダウンリンクデータを受信する準備ができていることを前記アクティベーション信号の送信者に通知するための、省電力ポーリングフレームを送信するように構成される送信機をさらに備える、Ｃ３に記載の局。
［Ｃ７］
前記第１の受信機は、前記アウェイク状態にある前記第２の受信機と比較して、前記アウェイク状態においてより少ない電力を消費する、Ｃ１に記載の局。
［Ｃ８］
前記第１の受信機は、デアクティベート信号を受信するようにさらに構成され、前記第２の受信機は、前記デアクティベート信号に応答してデアクティベートするように構成される、Ｃ１に記載の局。
［Ｃ９］
ワイヤレス局によるワイヤレス通信のための方法であって、
前記局に送信される第１の信号を処理することと、ここにおいて、前記第１の信号は、アクティベーション信号が受信されると予想されるターゲットウェイクアップ時間を示す、
前記示されたターゲットウェイクアップ時間に基づいて第１の受信機をアウェイク状態に移行することと、
前記示されたターゲットウェイクアップ時間に前記第１の受信機によって前記アクティベーション信号を受信することと、
前記アクティベーション信号に基づいて第２の受信機をアウェイク状態に移行することと、
前記第２の受信機によって第２の信号を受信することと
を備える、方法。
［Ｃ１０］
前記第２の受信機を前記アウェイク状態に移行することは、規定された時間に発生する、Ｃ９に記載の方法。
［Ｃ１１］
前記規定された時間は、ビーコンを受信するために、次のターゲットビーコン通過時間に対応する、Ｃ１０に記載の方法。
［Ｃ１２］
前記アクティベーション信号は、受信されたという肯定応答を送信することをさらに備える、Ｃ９に記載の方法。
［Ｃ１３］
前記アクティベーション信号の送信者に省電力ポーリングフレームを送信することをさらに備える、Ｃ９に記載の方法。
［Ｃ１４］
前記規定された時間において、前記アクティベーション信号の送信者に省電力ポーリングフレームを送信することをさらに備える、Ｃ９に記載の方法。
［Ｃ１５］
前記第１の受信機は、前記アウェイク状態にある前記第２の受信機と比較して、前記アウェイク状態においてより少ない電力を消費する、Ｃ９に記載の方法。
［Ｃ１６］
前記第１の受信機によってデアクティベート信号を受信することと、
前記第２の受信機をデアクティベートすることと
をさらに備える、Ｃ９に記載の方法。
［Ｃ１７］
実行されると、ワイヤレス局に、
前記局に送信される第１の信号を処理することと、ここにおいて、前記第１の信号は、アクティベーション信号が受信されると予想されるターゲットウェイクアップ時間を示す、
前記示されたターゲットウェイクアップ時間に基づいて第１の受信機をアクティベートすることと、
前記示されたターゲットウェイクアップ時間に前記第１の受信機によって前記アクティベーション信号を受信することと、
前記アクティベーション信号に基づいて第２の受信機をアウェイク状態へ移行することと、
前記第２の受信機によって第２の信号を受信することと
を行わせるコードを備える、非一時的コンピュータ可読媒体。
［Ｃ１８］
前記第２の受信機を前記アウェイク状態に移行することは、規定された時間に発生する、Ｃ１７に記載の非一時的コンピュータ可読媒体。
［Ｃ１９］
前記規定された時間は、ビーコンを受信するために、次のターゲットビーコン通過時間に対応する、Ｃ１８に記載の非一時的コンピュータ可読媒体。
［Ｃ２０］
前記コードは、実行されると、前記局に、前記アクティベーション信号が受信されたという肯定応答を送信することを行わせる、Ｃ１７に記載の非一時的コンピュータ可読媒体。
［Ｃ２１］
前記コードは、実行されると、前記局に、前記アクティベーション信号の送信者へ省電力ポーリングフレームを送信することを行わせる、Ｃ１７に記載の非一時的コンピュータ可読媒体。
［Ｃ２２］
前記コードは、実行されると、前記局に、前記規定された時間において、前記アクティベーション信号の送信者へ省電力ポーリングフレームを送信することを行わせる、Ｃ１７に記載の非一時的コンピュータ可読媒体。
［Ｃ２３］
前記第１の受信機は、前記アウェイク状態にある前記第２の受信機と比較して、前記アウェイク状態においてより少ない電力を消費する、Ｃ１７に記載の非一時的コンピュータ可読媒体。
［Ｃ２４］
前記コードは、実行されると、前記第１の受信機に、デアクティベート信号を受信することと、前記デアクティベート信号に応答して前記第２の受信機をデアクティベートすることとを行わせる、Ｃ１７に記載の非一時的コンピュータ可読媒体。
［Ｃ２５］
ワイヤレス通信のためのワイヤレス局であって、
前記局に送信される第１の信号を処理するための手段と、ここにおいて、前記第１の信号は、アクティベーション信号が受信されると予想されるターゲットウェイクアップ時間を示す、
前記示されたターゲットウェイクアップ時間に基づいて第１の受信機をアウェイク状態に移行するための手段と、
前記示されたターゲットウェイクアップ時間に前記アクティベーション信号を受信するための手段と、
前記アクティベーション信号に基づいて第２の受信機をアウェイク状態に移行するための手段と、
前記第２の受信機が前記アウェイク状態にある間に第２の信号を受信するための手段と
を備える、ワイヤレス局。
［Ｃ２６］
前記アクティベーション信号を受信するための前記手段は、第１の受信機を備え、前記第２の信号を受信するための前記手段は、第２の受信機を備え、前記第１の信号を処理するための前記手段は、プロセッサを備える、Ｃ２５に記載の局。
［Ｃ２７］
前記第１の受信機は、前記アウェイク状態にある前記第２の受信機と比較して、前記アウェイク状態においてより少ない電力を消費する、Ｃ２６に記載の局。
［Ｃ２８］
前記第２の受信機を前記アウェイク状態に移行するための前記手段は、規定された時間に前記第２の受信機を前記アウェイク状態へ移行するように構成される、Ｃ２５に記載の局。
［Ｃ２９］
前記規定された時間は、ビーコンを受信するための次のターゲットビーコン通過時間に対応する、Ｃ２８に記載の局。
［Ｃ３０］
前記アクティベーション信号が受信されたという肯定応答を送信するための手段をさらに備える、Ｃ２５に記載の局。